(57)【要約】【課題】花卉を見栄え良く陳列することが可能な花卉陳列スタンドを提供する。【解決手段】花束Ｆを陳列する花卉陳列スタンド１０は、基部１１から上方に伸びるスタンド本体１２と、これに着脱自在に取り付けられる複数の受け具１３，１４とを備えている。これらの受け具１３，１４には花束Ｆを保持する保持リング１５，１６が設けられている。三角柱状のスタンド本体１２を構成する３枚の取付板１７〜１９には、所定の間隔毎に高さ位置をずらしながら複数の取付孔１７ａ〜１９ａが形成されており、これらの取付孔１７ａ〜１９ａに対して受け具１３，１４の取付ブラケット２４が着脱自在となっている。これにより、取付高さを変えながらスタンド本体１２を囲むように受け具１３，１４を配置することができ、花束Ｆに奥行きを与えて立体的に陳列することが可能となる。【選択図】図１
2008099833.tif 000002
【特許請求の範囲】
【請求項１】
高さ位置を相互にずらした複数の被係合部が形成される第１取付面と、高さ位置を相互にずらした複数の被係合部が形成される第２取付面とを備えるスタンド本体と、
前記被係合部に係合自在に取り付けられ、花卉を保持する保持部を備える花卉受け具とを有することを特徴とする花卉陳列スタンド。
【請求項２】
請求項１記載の花卉陳列スタンドにおいて、
前記スタンド本体は、高さ位置を相互にずらした複数の被係合部が形成される第３取付面を備え、前記スタンド本体は角柱状に形成されることを特徴とする花卉陳列スタンド。
【発明の詳細な説明】
【技術分野】
【０００１】
本発明は、花卉を陳列する花卉陳列スタンドに関する。
【背景技術】
【０００２】
卸売業者から販売店に配送された切花は、水揚げバケツ等の陳列容器に収容した状態で販売されている。このような切花は贈り物として購入されることも多いため、フラワースタンド等の陳列棚を用いて切花を見栄え良く陳列することが重要となっている(たとえば、特許文献１参照)。
【特許文献１】特開２００５−２３０３８０号公報
【発明の開示】
【発明が解決しようとする課題】
【０００３】
しかしながら、従来のように陳列棚などを用いて切花を平面的に並べるだけでは、切花を見栄え良く陳列するとともに消費者に対して切花を強く印象づけることが困難となっており、新たなディスプレイ手法を確立することが所望されている。
【０００４】
本発明の目的は、花卉を見栄え良く陳列することが可能な花卉陳列スタンドを提供することにある。
【課題を解決するための手段】
【０００５】
本発明の花卉陳列スタンドは、高さ位置を相互にずらした複数の被係合部が形成される第１取付面と、高さ位置を相互にずらした複数の被係合部が形成される第２取付面とを備えるスタンド本体と、前記被係合部に係合自在に取り付けられ、花卉を保持する保持部を備える花卉受け具とを有することを特徴とする。
【０００６】
本発明の花卉陳列スタンドは、前記スタンド本体は、高さ位置を相互にずらした複数の被係合部が形成される第３取付面を備え、前記スタンド本体は角柱状に形成されることを特徴とする。
【発明の効果】
【０００７】
本発明によれば、複数の取付面に形成される複数の被係合部に対し、花卉受け具を係合自在に取り付けるようにしたので、取付高さを変えながらスタンド本体を囲むように花卉受け具を配置することができ、花卉を立体的に見栄え良く陳列することが可能となる。
【発明を実施するための最良の形態】
【０００８】
以下、本発明の実施の形態を図面に基づいて詳細に説明する。図１は本発明の一実施の形態である花卉陳列スタンド１０を示す斜視図である。図１に示すように、花束(花卉)Ｆを陳列するための花卉陳列スタンド１０は、円盤状の基部１１から上方に伸びるスタンド本体１２と、このスタンド本体１２に取り付けられる複数の受け具(花卉受け具)１３，１４とを備えている。スタンド本体１２に取り付けられる受け具１３，１４には保持部としての保持リング１５，１６が形成されており、この保持リング１５，１６に対して花束Ｆを収容したバケツＢが挿し込まれるようになっている。なお、花卉陳列スタンド１０の移動を容易にするため、基部１１に対してキャスターを取り付けるようにしても良い。
【０００９】
ここで、図２(Ａ)はスタンド本体１２を示す平面図であり、図２(Ｂ)はスタンド本体１２を示す側面図である。図２(Ａ)および(Ｂ)に示すように、スタンド本体１２は中空の三角柱状に形成されており、３枚の取付板１７〜１９の縁部を互いに接合することによって製造されている。また、スタンド本体１２を構成する取付板１７〜１９のそれぞれには、被係合部として複数の取付孔１７ａ〜１９ａが形成されており、これらの取付孔１７ａ〜１９ａは所定の間隔毎に高さ位置をずらしながら設けられている。つまり、取付板１７には第１取付面２１が形成され、取付板１８には第２取付面２２が形成され、取付板１９には第３取付面２３が形成されるようになっている。
【００１０】
続いて、図３(Ａ)は２つのバケツＢを保持する受け具１３を示す斜視図であり、図３(Ｂ)は１つのバケツＢを保持する受け具１４を示す斜視図である。図３(Ａ)に示すように、受け具１３は、スタンド本体１２の取付孔１７ａ〜１９ａに取り付けられる取付ブラケット２４と、バケツＢが挿し込まれる保持リング１５とによって構成されている。板材を折り曲げて形成される取付ブラケット２４は、取付孔１７ａ〜１９ａに挿し込まれる平板状の挿入板２４ａを下端に備えるとともに、取付孔１７ａ〜１９ａから挿し込まれて取付板１７〜１９の裏面に突き当てられる突当板２４ｂを上端に備えている。このような受け具１３をスタンド本体１２の取付孔１７ａ〜１９ａに装着する際には、上端側の突当板２４ｂを取付孔１７ａ〜１９ａに挿し込んだ後に、受け具１３を傾けながら下端側の挿入板２４ａを下方の取付孔１７ａ〜１９ａに挿し込むことになる。なお、図３(Ｂ)に示すように、１つのバケツＢを保持する受け具１４についても、２つのバケツＢを保持する受け具１３と同じ取付ブラケット２４を備えており、双方の受け具１３，１４はスタンド本体１２に対して脱着自在となっている。また、取付ブラケット２４の挿入板２４ａは略Ｌ字状に折り曲げて形成されるため、スタンド本体１２に対して受け具１３，１４を取り付けたときには、保持リング１５，１６が下側に傾斜するようになっている。
【００１１】
前述したように、スタンド本体１２は三角柱状に形成されるとともに、各表面を構成する取付板１７〜１９には取付孔１７ａ〜１９ａが形成されるため、スタンド本体１２から径方向外方に広がるように受け具１３，１４を取り付けることが可能となっている。ここで、図４(Ａ)は受け具１３を各取付板１７〜１９に対して取り付けた状態を示す平面図であり、図４(Ｂ)は受け具１４を各取付板１７〜１９に対して取り付けた状態を示す平面図である。図４(Ａ)および(Ｂ)に示すように、各取付板１７〜１９に対して受け具１３，１４を取り付けることにより、スタンド本体１２を中心にほぼ円形となるように花束Ｆを配置することが可能となる。このように、スタンド本体１２を囲むように花束Ｆを陳列することにより、花束Ｆに奥行きを与えて立体的に陳列することができるため、消費者に対して斬新な印象を与えることができ、花束Ｆの販売促進に寄与することが可能となる。しかも、受け具１３，１４の保持リング１５，１６が下側に傾斜する構造であるため、花束Ｆの上部(花の部分)が見えるように見栄え良く陳列することが可能となる。
【００１２】
さらに、スタンド本体１２には多数の取付孔１７ａ〜１９ａが形成されるとともに、これらの取付孔１７ａ〜１９ａに対して受け具１３，１４を脱着自在に取り付けることができるため、様々なバリエーションによって花束Ｆを陳列することが可能となる。ここで、図５はスタンド本体１２に対する受け具１３，１４の取付状態の一例を示す斜視図である。図５に示すように、隣り合う受け具１３，１４を上下方向にずらして取り付けることにより、スタンド本体１２に対して受け具１３，１４を矢印Ａで示すように螺旋状に配置することが可能となる。このように、花束Ｆに動きを持たせるように陳列することができるため、消費者に対してこれまでにない斬新な印象を与えることができ、花束Ｆの販売促進に寄与することが可能となる。また、図１に示すように、スタンド本体１２の上部にはＬ字状に折り曲げられる３本のポール部材２５が取り付けられている。図５に示すように、ポール部材２５には販売情報等を表示した旗２６などを取り付けることができ、人目を引くように花束Ｆを陳列することも可能となっている。
【００１３】
本発明は前記実施の形態に限定されるものではなく、その要旨を逸脱しない範囲で種々変更可能であることはいうまでもない。たとえば、図示する花卉陳列スタンド１０にあっては、断面形状が三角形となるスタンド本体１２を備えているが、これに限られることはなく、断面形状が四角形等の多角形となるスタンド本体を設けるようにしても良い。また、平板状のスタンド本体を設けるようにしても良く、この場合にはスタンド本体の表面および裏面が第１取付面および第２取付面として機能することになる。なお、被係合部として取付孔１７ａ〜１９ａが形成されているが、これらの取付孔１７ａ〜１９ａに限られることはなく、受け具１３，１４を保持することが可能な構造であれば、突起部等を被係合部として機能させるようにしても良い。
【００１４】
図示する場合には、２つのバケツＢを保持する受け具１３と、１つのバケツＢを保持する受け具１４とを設けるようにしているが、更に多くのバケツＢを保持する受け具を設けるようにしても良い。また、受け具１３，１４に対してバケツＢを取り付けるだけでなく、受け具１３，１４に対して花束Ｆや鉢植え等を直に挿し込むようにしても良い。さらに、保持部として環状の保持リング１５，１６を設けるようにしているが、花束等を保持できる構造であれば他の形状を有しても良いことはいうまでもない。なお、図示する花卉陳列スタンド１０は、ステンレスやスチール等の金属材料を用いて形成されているが、金属材料に限られることはなく、木材やプラスチック等の材料を用いて形成しても良い。
【図面の簡単な説明】
【００１５】
【図１】本発明の一実施の形態である花卉陳列スタンドを示す斜視図である。
【図２】(Ａ)はスタンド本体を示す平面図であり、(Ｂ)はスタンド本体を示す側面図である。
【図３】(Ａ)は２つのバケツを保持する受け具を示す斜視図であり、(Ｂ)は１つのバケツを保持する受け具を示す斜視図である。
【図４】(Ａ)は受け具を各取付板に対して取り付けた状態を示す平面図であり、(Ｂ)は受け具を各取付板に対して取り付けた状態を示す平面図である。
【図５】スタンド本体に対する受け具の取付状態の一例を示す斜視図である。
【符号の説明】
【００１６】
１０    花卉陳列スタンド
１１    基部
１２    スタンド本体
１３，１４    受け具(花卉受け具)
１５，１６    保持リング(保持部)
１７〜１９    取付板
１７ａ〜１９ａ    取付孔(被係合部)
２１    第１取付面
２２    第２取付面
２３    第３取付面
２４    取付ブラケット
２４ａ  挿入板
２４ｂ  突当板
２５    ポール部材
２６    旗
Ｆ      花束(花卉)
Ｂ      バケツ
【図１】
2008099833.tif 000003
【図２】
2008099833.tif 000004
【図３】
2008099833.tif 000005
【図４】
2008099833.tif 000006
【図５】
2008099833.tif 000007